(57)【特許請求の範囲】
【請求項１】
利用者が運動する為の空間を備えた室内における運動施設であって、
広い室内空間を１又は２〜３人の利用者が使用する為の密閉された空間に仕切った運動用個室が複数設けられており、
当該各運動用個室には、室内空間の換気を実現する換気装置及び／又は室内の空気環境を調整する空調装置が設けられており、当該換気装置及び／又は空調装置によって各運動用個室内の気圧を調整することで、何れかの運動用個室から排出された空気が他の運動用個室に流入しないように形成していることを特徴とする運動施設。
【請求項２】
更に通路などの共有スペースを備えており、
前記各運動用個室内の気圧は、その外側に存在する当該共有スペースの気圧との関係で調整され、
前記各運動用個室を区分けしている間仕切りは移動式の壁として形成されている、請求項１に記載の運動施設。
【請求項３】
前記運動用個室の何れか又は全てには、当該運動用個室内で実施する運動に合わせて室内の酸素量を調整する酸素量調整装置を設けることにより、酸素の供給量を運動用個室ごとに個別に調整可能であって、
それぞれの運動用個室には、各運動用個室内で運動している利用者の動作を検知する人感センサ又はモーションセンサを設け、当該運動用個室内の利用者が一定の時間動きを停止している場合には、アラートを出力し、
更に、それぞれの運動用個室に設置した運動器具の稼働状況から、利用者における運動量を管理する運動量管理システムを備える、請求項１又は２に記載の運動施設。
【請求項４】
前記運動用個室の何れか又は全ての室内には、ネットワークを介して映像及び／又は音声の入出力を行う映像・音声入出力装置が設けられており、
当該映像・音声入出力装置は、当該運動用個室内で実施する運動のインストラクション映像を出力する、請求項１〜３の何れか一項に記載の運動施設。
【請求項５】
前記複数の運動用個室には当該運動用個室を特定する個室ＩＤが付与されると共に、運動用個室を利用する利用者には利用者ＩＤが付与されており、
利用者の利用を管理する利用者管理装置を備えており、
当該利用者管理装置は、利用者における運動用個室の利用開始時に利用者ＩＤを取得して、当該利用者ＩＤと当該利用者が利用する運動用個室の個室ＩＤとを関連付けると共に、利用者ＩＤに関連付けて記憶装置に保持している連絡先情報に基づいて、連絡先情報として登録されている連絡先に個室ＩＤを通知する、請求項１〜４の何れか一項に記載の運動施設。
【請求項６】
前記利用者ＩＤに関連付けて記憶装置に保持している連絡先情報は、当該利用者の友人や知人に関する情報、及び／又は当該利用者の運動を指導しているインストラクターに関する情報からなり、
前記個室ＩＤを通知する連絡先は、当該運動施設又は映像・音声入出力装置がネットワークで接続された運動施設を実際に利用している利用者の連絡先情報である、請求項５に記載の運動施設。
【発明の詳細な説明】
【技術分野】
【０００１】
本発明は運動用の個室を備えた運動施設に関し、特に複数の運動用個室を備えた運動施設に関する。
【背景技術】
【０００２】
従来、健康管理や健康増進などを目的とした運動施設として、スポーツジム、フィットネスクラブ、ヨガスタジオなどが提供されている。これらの運動施設では、運動のための各種器具を設置したり、インストラクターによる指導や実演等が行われており、何れの運動施設も、複数の利用者を収容できる広い室内空間として提供されてる。
【０００３】
かかる運動施設については、従来幾つかの技術が提案されている。例えば特許文献１（特開２００６−１４２０１０号公報）では、複数のエリアからなる共通の基礎構造を備えた多目的スポーツ施設であって、前記各エリアが、それぞれのスポーツ活動を実施するためのトラック、ピッチ、またはコートを構成している多目的スポーツ施設を提案している。かかる多目的スポーツ施設によれば、若者が自らの肉体的、精神的適性にふさわしいスポーツを選択し、練習、実施できることが提案されている。
【０００４】
また、従前においては、特許文献２（特開２００５−３２３７４１号公報）において、  隣の打席からも見えず打席へ入るための通路からも見えない個室形式の打席ブースを複数備えたゴルフ練習施設も提案されている。かかるゴルフ練習施設は、周囲の人目を気にすることなく、本人が希望する練習を抵抗感なく自由に行なうことができる営業用のゴルフ練習施設となっている。
【先行技術文献】
【特許文献】
【０００５】
【特許文献１】特開２００６−１４２０１０号公報
【特許文献２】特開２００５−３２３７４１号公報
【発明の概要】
【発明が解決しようとする課題】
【０００６】
上記特許文献１では、自らの肉体的、精神的適性にふさわしいスポーツを選択し、練習、実施できる多目的スポーツ施設が提案されている。しかしながら、当該多目的スポーツ施設は、従前の例によって広い施設を複数人が利用する事を前提としており、感染症の拡大予防対策等の衛生管理や、利用者のプライバシーの保護、更には運動効率の向上などについては、何ら考慮されていない。
【０００７】
また、前記特許文献２で提案している営業用のゴルフ練習施設は、周囲の人目を気にすることなく、本人が希望する練習を抵抗感なく自由に行なうことができるものとなっているが、運動効率を高める事や、インストラクターや友人等とのコミュニケーションの確保については何ら考慮されていない。
【０００８】
そこで本発明は、感染症の拡大予防対策等の衛生管理、利用者のプライバシーの保護、運動効率の向上、及びインストラクターや友人等とのコミュニケーションの確保に関する課題の少なくとも何れかを改善する事のできる運動施設を提供するものである。
【課題を解決するための手段】
【０００９】
前記の幾つかの課題の少なくとも何れかを解決するべく本発明者は鋭意創作した結果、従前においては広い空間を大人数で利用する事が当然であった運動施設の概念を根本的に見直し、一人又は少人数で利用する事のできる運動用個室を複数設けた運動施設とすることを想起して本発明を完成させたものである。
【００１０】
即ち本発明は、利用者が運動する為の空間を備えた室内における運動施設であって、その中に１又は２〜３人の利用者が使用する為の仕切られた空間である運動用個室を複数設けた運動施設を提供するものである。
【００１１】
かかる運動施設は屋内運動施設である他、屋外運動施設であっても良いが、天候に左右されずに運動を行う観点や、感染症の拡大予防対策等の衛生管理の観点からは、屋内運動施設である方が本発明による効果は大きい。更には定められた室内空間で運動を行うことが前提となるスポーツジム、ヨガスタジオ、フィットネスクラブの運動施設であることが望ましい。
【００１２】
また前記運動用個室は室内に固定した壁である他、移動式の壁によって仕切ることができ、更にはパーテションやカーテンなどによって仕切る事もできる。但し、後述するように当該運動用個室の気圧を制御する場合には、当該運動用個室は密閉された空間として形成されることが望ましく、その為に室内に固定した壁かあるいは移動のための隙間を閉塞可能な移動壁で仕切ることが望ましい。また運動用個室を区画する壁面を移動式の壁とした場合には、それぞれの運動用個室内の空間の広さ、形状、及び高さを変更自在とすることができる。
【００１３】
本発明に係る運動施設において、前記各運動用個室には、室内空間の換気を実現する換気装置が設けられると共に、当該換気装置は各室ごとに独立しており、当該換気装置のダクトは、何れかの運動用個室から排出された空気が他の運動用個室に流入しないように形成することが望ましい。各個室に換気装置を設けることにより、室内の空気を清澄に保つことができ、また何れかの運動用個室から排出された空気が他の運動用個室に流入しないように当該換気装置のダクトを形成することにより、感染飛沫の拡散を阻止することができる。また各運動用個室に供給する空気は、フィルターなどによってウィルス等を除去したクリーンな空気を供給するように構成するのも望ましい。
【００１４】
また本発明に係る運動施設は、前記各運動用個室には、室内空間の換気を実現する換気装置、及び／又は室内の空気環境を調整する空調装置を備えており、当該換気装置及び空調装置の少なくとも何れかによって、何れか又は全ての運動用個室内の気圧を、当該運動用個室内で実施する運動に合わせて調整する気圧調整装置を設けることもできる。この場合、各運動用個室は気密性を確保することが望ましく、例えば入り口や窓における気密性を高める事が望ましい。
【００１５】
また本発明に係る運動施設では、前記運動用個室の何れか又は全てには、当該運動用個室内で実施する運動に合わせて室内の酸素量を調整する酸素量調整装置を設けることもできる。例えば有酸素運動を行う場合には、酸素ボンベや酸素発生装置などにより室内の酸素量を多くし、高山トレーニングなど酸素量が少ない環境での運動を行う場合には、二酸化炭素など酸素以外の気体を室内に供給することで、酸素量を低くすることが考えられる。
【００１６】
また本発明に係る運動施設では、それぞれの運動用個室ごとに、個室内の湿度や温度、或いはマイナスイオン濃度を調整することもできる。更に何れか又は全ての運動用個室（特にヨガスタジオとして使用する運動用個室）には床面の暖房設備を設け、当該床の温度をそれぞれの部屋ごとに調整できるように構成することもできる。
【００１７】
そして本発明では、前記課題の少なくとも何れかの問題を解決する為に、本発明に係る運動施設は、前記運動用個室の何れか又は全ての室内には、ネットワークを介して映像及び／又は音声の入出力を行う映像・音声入出力装置を設けることができる。そしてかかる映像・音声入出力装置は、当該運動用個室内で実施する運動のインストラクション映像を出力するように構成することができる。かかるインストラクション映像はインターネットなどのネットワークを経由して受信したものを出力する他、ＤＶＤやＳＤカード等の記録媒体に保存したインストラクション映像を出力することもできる。特に当該運動用個室内においてインストラクション映像を出力する場合には、当該映像・音声入出力装置は、映像や音声の入力を伴わない映像・音声出力装置であっても良い。
【００１８】
前記インストラクシ映像は、運動用個室を利用する利用者が行う運動をガイドするものである他、ヨガやエアロビクスの動作などを指導する映像であっても良い。また運動用個室に設置した運動器具の使い方を案内する映像であっても良い。
【００１９】
そして本発明では、前記課題の少なくとも何れかを解決する為に、本発明に係る運動用施設において、前記複数の運動用個室には当該運動用個室を特定する個室ＩＤ（即ち「識別記号」。以下同じ）が付与されると共に、運動用個室を利用する利用者には利用者ＩＤが付与されており、利用者が何れかの運動用個室を利用する際には、利用者ＩＤと個室ＩＤとが関連付けられ（即ち、紐付けされ）、利用者ＩＤに関連付けられた連絡先情報に基づいて、連絡先情報として登録されている連絡先に個室ＩＤを通知するように構成することができる。その為に、本発明に係る運動施設は、利用者の利用を管理する利用者管理装置を備えることが望ましい。当該利用者管理装置は、利用者における運動用個室の利用開始時に利用者ＩＤを取得して、当該利用者ＩＤと当該利用者が利用する運動用個室の個室ＩＤとを関連付けると共に、利用者ＩＤに関連付けて記憶装置に保持している連絡先情報に基づいて、連絡先情報として登録されている連絡先に個室ＩＤを通知することができる。
【００２０】
上記利用者ＩＤは当該運動施設を利用する際の会員カードである他、スマートフォン（登録商標）等の個人識別情報を保持するものが使用でき、個室ＩＤは予めそれぞれの運動用個室に付与した部屋番号や記号などを使用することができる。かかる利用者ＩＤと個室ＩＤとの関連付けは、利用者が施設を利用する際のチェックイン操作において行うことができる。
【００２１】
また前記利用者ＩＤには、それぞれの利用者ＩＤごとに連絡先情報を関連付けておくことができる。かかる連絡先情報は、当該利用者の友人や知人に関する情報である他、当該利用者の運動を指導しているインストラクターに関する情報であっても良い。なお、利用者はあらかじめインストラクターを選択し、その情報を利用者ＩＤに関連付けて保持しておくことができる。そして利用者が何れかの運動用個室を利用する際には、当該連絡先情報として登録されている連絡先（運動用個室に設置した映像・音声など）に個室ＩＤを通知するように構成することで、友人や知人、或いはインストラクターに対して、当該利用者が、どの運動用個室に入室したのかを確認することができる。この時、個室ＩＤを通知する連絡先は、当該運動施設又は映像・音声入出力装置がネットワークで接続された運動施設を実際に利用している利用者の連絡先情報に制限することもできる。
【００２２】
そして前記した各運動用個室内には、当該個室内で運動を行う為の運動器具を設置するのが望ましい。それぞれの運動用個室内に設置する運動器具は、全ての運動用個室において共通するものを設置する他、各運動用個室、或いは運動用個室のグループごとに設置する運動器具を異ならせることもできる。例えば、運動するメニューや運動能力によってそれぞれの運動用個室の広さや設置する運動器具を異ならせることもできる。特に運動用個室ごとに、その個室内で使用する運動器具を設置することにより、従前のスポーツジムの様に運動器具の待ち時間を解消することができ、効率的な運動を行うことができる。
【００２３】
更に本発明に係る運動施設において、運動用個室内に設置した運動器具の稼働状況を監視することもできる。その結果、各運動用個室の特定によって、その個室を利用している利用者を特定することができる為、当該個室を利用した利用者の運動量を管理することができる。
【発明の効果】
【００２４】
本発明の運動施設は、１又は２〜３人の利用者が使用する為の仕切られた空間である運動用個室を複数設けていることから、利用者が密集することがなくなる為に感染症の拡大を予防することができ、よって衛生管理を徹底した運動施設を実現することができる。また利用者の運動のための空間を個室とする事により、プライバシーを確保することができ、周囲の視線を気にすることなく運動に励むことができる。
【００２５】
特に各室ごとに独立した換気装置を設置し、当該換気装置のダクトが何れかの運動用個室から排出された空気が他の運動用個室に流入しないように形成することにより、感染症の予防などの衛生管理をより高い水準で確保することができる。
【００２６】
よって、本発明により、手軽に、マイペースで、一人でこっそり、安心して運動する事のできる運動施設を提供することができる。
【００２７】
また本発明に係る運動施設において、各運動用個室に換気装置及び／又は空調装置を設けて、当該換気装置及び空調装置の少なくとも何れかによって運動用個室内の気圧を、当該運動用個室内で実施する運動に合わせて調整する気圧調整装置を設けることにより、運動効率を高めることができる。また運動用個室内の気圧を、その外側に存在する通路などの共有部分の気圧よりも高くした場合には、共有部分の空気が運動用個室内に流入しにくい運動施設とすることができる。一方で運動用個室内の気圧を、その外側に存在する通路などの共有部分の気圧よりも低くした場合には、運動用個室内の空気が共有部分に流入しにくい運動施設とすることができる。特に本発明に係る運動施設では、複数の運動用個室を設けていることから、それぞれの個室ごとに室内の気圧を調整することが可能となっている。
【００２８】
また本発明にかかる運動用施設において、運動用個室内で実施する運動に合わせて室内の酸素量を調整する酸素量調整装置を設けた場合には、実施する運動に応じて最適な環境を提供することもできる。特に本発明に係る運動施設では、実際に運動を行う運動用個室だけに対して選択的に酸素を供給できることから、運動用施設全体に酸素を供給する場合と比較して、酸素の使用量を軽減することができる。即ち、運動用個室を複数設けることによって、効率的に最適な運動環境を提供する事のできる運動施設とすることができる。
【００２９】
また本発明に係る運動施設において、運動用個室に映像・音声入出力装置を設けて運動のインストラクション映像を出力することにより、個室でありながらもインストラクションを受けることができる運動施設とすることができる。特にヨガやダンスなどの運動では、その進行が重要であることから、当該インストラクション映像を確認しながら実施することで効率的及び効果的な運動を行うことができる。
【００３０】
そして本発明に係る運動施設において、運動用個室に個室ＩＤを付与し、利用者には利用者ＩＤを付与し、利用者の利用を管理する利用者管理装置によって、利用者が何れかの運動用個室を利用する際には、利用者ＩＤと個室ＩＤとが関連付け、利用者ＩＤに関連付けられた連絡先情報に基づいて、連絡先情報として登録されている連絡先に個室ＩＤを通知するように構成した場合には、当該利用者の利用をあらかじめ登録している連絡先に知らせることができる。その結果、個室で運動を行いながらも、利用者同士やインストラクターとのコミュニケーションを図ることができ、孤独感を解消することもできる。
【００３１】
よって本発明に係る運動施設により、感染症の拡大予防対策等の衛生管理、利用者のプライバシーの保護、運動効率の向上、及びインストラクターや友人等とのコミュニケーションの確保に関する課題の少なくとも何れかを改善する事のできる運動施設を提供することができる。
【図面の簡単な説明】
【００３２】
【図１】本実施の形態に係る運動施設の全体を示す平面図
【図２】運動用個室に設置した換気装置を示す略図
【図３】運動用個室に設置した空調装置を示す略図
【図４】利用者管理装置を用いて形成した運動量管理システム及びコミュニケーションシステムのシステム構成図
【図５】コミュニケーションシステムのシーケンス図
【図６】利用者連絡先マスタ
【図７】運動用個室に設置する映像・音声入出力装置を示す略図
【発明を実施するための形態】
【００３３】
以下、図面を参照しながら、本実施の形態にかかる運動施設１０を具体的に説明する。特に本実施の形態は室内における運動施設１０として具体化した例を示すが、当然のことながら屋外における運動施設１０であっても良い。
【００３４】
図１は本実施の形態に係る運動施設１０の全体を示す平面図である。特にこの実施の形態では複数の運動用個室２０と共有スペース３０を設けて形成しており、従前において提供されているフィットネスジム（スポーツクラブ）における運動エリアを個室ジムの集合体に変革したものとなっている。そして複数の運動用個室２０は、各種トレーニングを行う為の部屋２１〜２４と、スタジオプログラムを行う部屋２５とで構成することができ、即ち各種トレーニングやスタジオプログラムを全て個室で行うように構成している。
【００３５】
図１では運動用個室２０として、ヨガやビデオティスを行うスタジオ２５を１室と、各種の運動器具５０を設置したトレーニングルーム２１〜２４を全体で６室設けており、トレーニングルームは運動のレベルに合わせてビギナールーム２１、スタンダードルーム２２、スタンダードＰＲＯルーム２３、アスリートルーム２４を設けている。各部屋はその広さや設置している運動器具５０を異ならせることができる。但し、この図１は運動用個室２０の組み合わせの一例を示しているに過ぎず、当然のその他の組み合わせであっても良く、またトレーニングルームの分類も運動レベルに限ることなく、その他の要素によってグレードを分けることもできる。また前記スタジオはドライ仕様である他、室内環境を温度４０℃前後で湿度７０％前後としたＨＯＴ仕様のスタジオ（専用固定部屋）を設置することも可能である。
【００３６】
更にそれぞれの運動用個室２０を区分けしている間仕切り（壁）を移動式として任意に収納できるようにすることで、２つの運動用個室２０を繋ぎ合わせて広い空間とし、複数人数のグループで使用する事もできる。間仕切りを移動可能とする事により、利用者のニーズに応じた広さの空間を確保でき、また当該運動施設１０設置後におけるレイアウト変更も可能にすることができる。
【００３７】
また、上記運動用個室２０や後述する共有スペース３０のレイアウトや広さについては、当該運動施設１０の設計・企画段階において施設構成を自由に設定することができる。具体的にはトレーニング重視の施設構成か、スタジオプログラム重視の施設構成かを設定し、運動用個室２０の配置や数等を決定し、更に当該運動施設１０の設置後において、途中で構成の変更もできるようにすることが望ましい。
【００３８】
そして図１に示す形態において、共有スペース３０は入り口などのエントランス３１と、廊下３２、トイレ３３の他に、会員登録している利用者が利用可能な飲み物提供スペース３４（プロテインバー）を設けている。かかる飲み物提供スペース３４は、自動販売機等にてプロテインドリンクやソフトドリンクが購入できるスペースとすることができる。
【００３９】
また、本実施の形態に係る運動施設１０では、エントランス３１に券売機６１（後述の受付端末６１）を設け、当該運動施設１０の利用開始時には、利用者が施設利用料金を精算できるように構成している。例えば、券売機６１にて利用者の人数、利用する運動用個室２０の番号（個室ＩＤ）、時間制（６０分、９０分、１２０分等、但し内５分は清掃作業）を選択して利用料金を支払うことができる（本明細書において「チェックイン処理」とも言う）。
【００４０】
かかるエントランス３１における施設の出入口には、更に小さなスペースの除菌ルームを設置することもできる。利用者が施設に入場する際には、必ず除菌ルームを通って身体全体の除菌を行い、退出する際には当該除菌ルームを通ることなく退場できるようにしても良い。また当該エントランス３１には入場ゲート３５を設置し、当該入場ゲート３５の入り口側に、検温装置、除菌剤、及び顔認証装置を設けることができる。このように構成することにより、当該運動施設１０に入場する際には、除菌ルーム、検温装置、除菌剤による手除菌、顔認証入口ゲート、券売機６１による利用料の支払いを行い、その後に当該運動施設１０を利用できる流れにすることができる。なお、退出に際しては顔認証出口ゲートの通過により退出処理を行うことができる。特に顔認証ゲートを使用することにより、不必要な接触を避けることができ衛生管理を徹底することができる。更に、後述の利用者管理装置６０などを設けることにより、利用者はインターネットなどのネットワークを介して、専用のアプリケーションなどにより、簡単に予約を行うことができるように構成することも望ましい。
【００４１】
また、前記運動用個室２０の出入り口近傍には、当該個室を利用している状態を知らせる照明などを設けることもでき、更に運動用個室内で運動している利用者の動作を検知する事のできる人勧センサやモーションセンサを室内に設け、利用者が一定の時間動きを停止している場合には、アラートを出力する警報装置を設けることもできる。更に各運動用個室２０内にユニット型シャワーなどを設置することもできる。また当該運動用個室内の利用者が、気分が悪いなど体調がすぐれない場合に、これをフロントなどの外部に知らせる為のエマージェンシーボタン（緊急連絡ボタン）等を設ける事も望ましい。
【００４２】
図２は、上記図１に示した運動施設１０などでも実施できる換気装置を示す略図である。特に本実施の形態では、それぞれの運動用個室２０を「第一種換気（機械給気／機械排気）」としている。各運動用個室２０の換気装置を第一種換気仕様にする事で密閉状況を回避することができる。即ち、第三種排気（自然給気／機械排気）の場合には自然に汚染された空気が個室内に入ってくる可能性も否定できない。そこで本実施の形態では、ダクトなどによる吸気ライン４１及び排気ライン４２の両方を、機械で強制的に行う第一種換気により、機械排気で汚染空気を除去しながら清澄な空気を運動用個室２０に導入して衛生環境を整えることができる。更に衛生環境を向上させるためには、吸気ライン４１で供給する空気は、除菌フィルター、ＨＥＰＡフィルター又は帯電フィルター等の各種フィルターによって清澄にした空気をとすることが望ましい。
【００４３】
特にこの実施の形態に係る換気装置では、それぞれの運動用個室２０における吸気口および排気口の夫々にその流量を制御する為のバルブ４３を設けている。かかるバルブ４３は気圧調整装置として機能することができる。かかるバルブ４３の開閉量を調整することにより、運動用個室２０に対する空気の流入量や流出量を調整することができ、当該運動用個室２０内の圧力（気圧）のコントロールが可能となっている。例えば運動の種類や内容によって個室内の気圧を高く又は低く設定することができ、運動の種類や内容以外の目的、例えば廊下などの共有スペース３０からの空気の流入を阻止する為に個室内の気圧を高く設定したり、或いは個室内の空気を廊下などの共有スペース３０に流出させることの無い様に個室内の気圧を高く設定することもできる。即ち、このバルブによって運動施設１０全体の清澄性をコントロールすることもできる。
【００４４】
この図２に示す実施の形態では、換気装置によって運動用個室２０内の気圧を調整できるようにしており、即ち運動用個室２０を複数設置する事で、利用者ごとに異なる気圧環境下で運動できるようにした運動施設１０となっている。
【００４５】
図３は、上記図１に示した運動施設１０などでも実施できる空調装置を示す略図である。特にこの図に示した空調装置は、前記図２に示した換気装置における各個室における吸気ライン４１として具体化することもできる。即ち、換気装置における各個室における吸気ライン４１を、酸素（又は酸素を多く含む空気）を供給する酸素供給ライン４５と、二酸化炭素や窒素などの酸素以外の成分（又は二酸化炭素や窒素などの酸素以外の成分を多く含む空気）を供給する他成分供給ライン４６とで構成している。そしてそれぞれの供給ラインごとに、酸素量調整装置として機能するバルブ４３を設けて、何れの気体（酸素またはそれ以外）を多く供給するのかを制御することで、運動用個室２０内の酸素量をコントロールすることができる。
【００４６】
即ち、この実施の形態では運動用個室２０とする事により、当該個室内で運動する利用者の空気環境（室内空間の空気環境）、特に酸素濃度を自在にコントロールすることができ、利用者毎に最適な運動環境を提供することが可能な運動施設１０を実現している。この点、従前のトレーニングルームの様に広い空間で多人数が運動を行う場合においては、酸素の供給量を個別に調整する為には、各利用者が酸素吸入マスクなどを着用する必要があったが、本実施の形態によれば個室全体を任意の環境に調整することができる。また、この実施の形態においても、吸気ライン４１における供給量と排気ライン４２における排気量を制御することにより、運動用個室２０の内部圧力（気圧）も自在にコントロールすることができる。
【００４７】
なお、上記図２及び３に示した実施の形態におけるバルブ４３は、電磁弁などを使用する事により、その開閉を外部からコントロールすることも可能となる。
【００４８】
新型コロナウイルス感染症（ＣＯＶＩＤ−１９）がフィットネス業界に与えた影響は甚大であり、真っ先にフィットネスクラブが三密（密集、密接、密閉）に当たるとして自粛に追い込まれた。その結果、利用会員が離れていく状況となっており、店舗が再開しても本来の姿に戻れるか不透明であった。また新型コロナウイルス感染症（ＣＯＶＩＤ−１９）の影響で世間一般の考え方や生活のリズムが根本的に変化し、これまでの概念が通用しない状況となっている。このような状況下、上記本実施の形態に係る運動施設１０により、密集、密接、密閉の三密（密集、密接、密閉）を回避した新たな施設を実現することができる。即ち、本実施の形態に係る運動施設１０では、ボックス状になった複数の運動用個室２０にトレーニング機器（運動器具５０）を設置し、１人もしくは２〜３人でレーニングを行うことができ、また運動用個室２０によってはバーチャル映像を後述の図７に示すような映像・音声入出力装置７０で映し出し、ヨガ等のスタジオプログラムを、１人もしくは２〜３人で行うことにより、利用者同士の密集を避けることができる。
【００４９】
また運動用個室２０を１人で利用する場合は当然として、２〜３人で利用する場合であっても、利用者相互の距離を確保するように運動器具５０などを配置することで利用者同士の密接を避けることができる。そして各運動用個室２０には、前記図３に示したような２４時間稼働する換気装置を設け、常に部屋内の空気を入れ替える事で密閉状況を回避することができる。
【００５０】
かかる本実施の形態に示した運動施設１０は、前記の三密（密集、密接、密閉）を回避するだけではなく、換気システム、除菌ルーム、顔認証、検温、入出ゲート、手除菌が自動で出来て、利用者は  それぞれの運動用個室２０で手軽に自分のペースで誰にも邪魔されず安心してトレーニングができるものとなっている。即ち、本実施の形態に係る運動施設１０によって、手軽に、マイペースで、一人でこっそり、安心してトレーニングができる運動施設１０が実現している。
【００５１】
そして上記本実施の形態に係る運動施設１０では、更にそれぞれの運動用個室２０の利用者における運動量を管理する為の運動量管理システムや、それぞれの運動用個室２０の利用者のコミュニケーションの向上を図るためのコミュニケーションシステムを設けることができる。これらのシステムは、例えば、コンピュータを用いて構成した利用者の情報を管理する為の利用者管理装置６０を用いて構築することができる。
【００５２】
図４は、当該利用者管理装置６０を用いて形成した運動量管理システム及びコミュニケーションシステムのシステム構成図を示している。
【００５３】
運動量管理システムは、それぞれの運動用個室２０に設置した運動器具５０における運動量を、ネットワークを介して利用者管理装置６０に送信するように構成している。各運動用個室２０の利用者と利用時間は、当該運動施設１０へのチェックイン処理において取得することができることから、当該運動用個室２０の個室ＩＤと、運動器具５０における運動量と、その時間の情報を取得することにより、その運動用個室２０を利用した利用者の運動量を算出することができる。即ち、当該運動量管理システムは、運動用個室２０として、その利用者を特定できることにより実現できるものとなってる。
【００５４】
また利用者のコミュニケーションを実現する為のコミュニケーションシステムは、前記利用者管理装置６０と、利用者端末６３、インストラクター端末６４及びそれぞれの運動用個室２０に設置した映像・音声入出力装置７０とで形成している。これらはインターネットを介して接続しており、図５に当該システムのシーケンス図を示している。
【００５５】
図５に示す様に、利用者が前記チェックイン処理を実施することにより、受付端末６１として機能する前記券売機６１は、利用者が保持するスマートフォン（登録商標）等の携帯情報端末や利用者カードなどから利用者ＩＤを取得する（Ｓ１１）と共に、当該利用者が使用する個室ＩＤを取得する（Ｓ１２）。この利用者ＩＤは会員登録時に設定したものであり、個室ＩＤは運動施設１０において、それぞれの運動用個室２０ごとに設定したＩＤである。
【００５６】
そして受付端末６１として機能する前記券売機は、取得した利用者ＩＤと特定した個室ＩＤとをネットワークを介して利用者管理装置６０に送信し、利用者管理装置６０は此れを取得する（Ｓ１３）。そして利用者管理装置６０は、取得した利用者ＩＤに基づいて、図６に示すような利用者連絡先マスタ等の記録領域を参照し、当該利用者ＩＤに設定されている連絡先情報を抽出する（Ｓ１４）。かかる利用者マスタは利用者管理装置６０に接続されている外部記憶装置６２などに保持しておくことができる。
【００５７】
利用者管理装置６０は、抽出した連絡先情報に、当該利用者を指導しているインストラクターの情報が含まれているか否かを判断し（Ｓ１５）、もしも含まれている場合には、当該インストラクターが確認できるインストラクター端末６４に対して、当該利用者が運動施設１０で運動を開始することを知らせる為に、利用者名と個室ＩＤを送信する（Ｓ６４）。かかるインストラクター端末６４は、インストラクターが所持する携帯情報端末である他、当該運動施設１０等のインストラクターが存在する場所に設けられたコンピュータであっても良い。当該利用者名と個室ＩＤを取得したインストラクター端末６４においては、当該端末を介してインストラクターが前記利用者とコミュニケーションを行うことができる。当該コミュニケーションは、当該利用者が使用している運動用個室２０に設置した映像・音声入出力装置７０を介して行うことができる。
【００５８】
なお、当該インストラクターとのコミュニケーションは、連絡先情報として登録されているインストラクターが対応可能な時、即ち対応可能である事を示すフラグが設定されている時のみ実施できるように構成する他、選択した運動用個室２０に利用者が入室し、且つインストラクターとのコミュニケーションを希望する場合のみ行う様に利用者管理装置６０（特に、当該処理を実行するプログラム）を構築することができる。
【００５９】
そして利用者管理装置６０は、利用者ＩＤに基づいて抽出した連絡先情報に基づいて、連絡先情報として登録されている利用者が、当該運動施設１０又は当該運動施設１０とネットワークで接続された他の運動施設１０を利用しているか否かを検索および判断し（Ｓ１７）、利用している場合には、当該連絡先情報として登録されている利用者の連絡先端末に対して、利用者名と個室ＩＤとを送信する（Ｓ１８）。かかる連絡先端末は、連絡先情報として登録されている利用者が使用している運動用個室２０に設置されている映像・音声入出力装置７０を使用することができる。また、連絡先情報として登録されている利用者が、当該施設を利用しているか否かは、当該利用者におけるチェックイン処理の情報を、利用者管理が保持しておくことにより実施することができる。
【００６０】
図７は前記運動用個室２０に設置する映像・音声入出力装置７０を示す略図である。この映像・音声入出力装置７０は、当該運動用個室２０の利用者に対して各種の情報を提供する為、及びコミュニケーション手段として使用することができる。図７に示す実施の形態ではディスプレイ７１とスピーカー７２の他、カメラ７３とマイク７４を備えて構成している。
【００６１】
かかる映像・音声入出力装置７０は、第１に当該運動用個室２０で実施する運動として、ヨガ、格闘技系運動、ダンス系運動、調整系運動、カーディオ系運動、筋コン系運動、バイク系運動、ファンクショナル系運動、全身系運動、コア系運動、有酸素系運動、ストレッチ系運動、筋力系運動等の運動メニューから、利用者が実施する為に選択した運動メニューのインストラクション映像を出力する為に使用することができる。即ちマシンジム、スタジオ共にプログラム映像を自由に選択ができる選択メニューを提供し、選択したプログラム映像に沿って利用者がトレーニング、プログラムが受けられるように構成することができる。
【００６２】
また当該映像・音声入出力装置７０は、当該運動用個室２０に設置している器具の使用方法を案内する映像を出力する為に使用することができる。即ち、当該運動用個室２０に導入しているマシン機器（運動器具５０）の動画を撮影し、画面に出力した選択メニューの中の導入マシンのボタンをクリックすると、トレーニングしたい部分ごとに動画を出力し、利用者はそれに従ってトレーニングを行うことができる。その結果、初心者であっても、何ら戸惑うことなくトレーニングを行うことができる。なお、マシン機器の使用方法は、必ずしも映像・音声入出力装置７０をする必要はなく、印刷物としてそれぞれの運動器具５０に設置しておいても良い。
【００６３】
そして上記映像・音声入出力装置７０は、コミュニケーションの為の端末としても使用することができる。即ち、コミュニケーションシステムについて前記図５のシーケンス図に示したように、インストラクター端末６４からのコミュニケーションや、利用者同士のコミュニケーションを実現する為の端末として、この映像・音声入出力装置７０を使用することができる。具体的には、前記図５のシーケンス図において、利用者ＩＤに基づいて抽出された連絡先側端末（即ち、この映像・音声入出力装置７０）には、当該利用者ＩＤが付与されている利用者が入室したことを部屋番号（個室ＩＤ）と共に入室情報７５として出力される。かかる入室情報７５が表示された映像・音声入出力装置７０において、当該情報を選択することにより、当該利用者とのコミュニケーションを行うか否かの選択ボタン７６を出力させ、これを選択することにより、両運動用個室２０に設置した映像・音声入出力装置７０同士において、音声又は映像と音声の双方向通信を確立することができる。また、インストラクターによる指導など、インストラクターとのコミュニケーションを図りたい場合には、画面に表示されている「インストラクター呼出」ボタン７７を選択することにより、両者間における双方向通信を実現することができる。
【００６４】
かかる利用者同士、またはインストラクターとのコミュニケーションを実現することにより、一人でトレーニングするときに生じる不安や孤独感を解消し、安心してトレーニングに励むことができる。よって、コミュニケーション手段を具備することにより、個室でありながらも、恰も従前のフィットネスジム（スポーツクラブ）でトレーニングしているかのような安心感を得ることができる。なお、この実施形態において、映像・音声入出力装置７０には、残り時間表示欄７８を設けて、当該運動用個室の利用残り時間を利用者に知らせることができる。但しこの利用残り時間は、当該映像・音声入出力装置７０とは別にタイマーとして運動用個室に設置することもできる。
【００６５】
以上の実施の形態は、本発明に係る運動施設１０の幾つかの実施の形態を示しているに過ぎず、その設計や設備などは本発明の趣旨を逸脱しない範囲において任意に変更することができる。また従来技術を含めて本発明において有利となり得る技術を随時取り入れることも当然に可能である。
【産業上の利用可能性】
【００６６】
本発明の運動施設は、フィットネスジムやスポーツクラブ等において実施する他、公共の運動施設、或いは介護施設等においても実施することができる。特に個室内の空気環境をコントロールすることから、運動施設において有利に利用することができる。
【符号の説明】
【００６７】
１０：運動施設、２０：運動用個室、２１〜２４：トレーニングルーム、２５：スタジオ、３０共有スペース、３１：エントランス、３４：飲み物提供スペース、３５：入場ゲート、４１：吸気ライン、４２：排気ライン、４３：バルブ、４５：酸素供給ライン、４６：他成分供給ライン、５０：運動器具、６０：利用者管理装置、６１：券売機（受付端末）、６３：利用者端末、６４：インストラクター端末、７０：映像・音声入出力装置、７５：入室情報、７８：残り時間表示欄
【要約】
【課題】  感染症の拡大予防対策等の衛生管理、利用者のプライバシーの保護、運動効率の向上、及びインストラクターや友人等とのコミュニケーションの確保に関する課題の少なくとも何れかを改善する事のできる運動施設を提供する。
【解決手段】  利用者が運動する為の空間を備えた室内における運動施設であって、１又は２〜３人の利用者が使用する為の仕切られた空間である運動用個室が複数設けられており、望ましくは前記各運動用個室には、各室ごとに独立した換気装置を設けており、当該換気装置のダクトは、何れかの運動用個室から排出された空気が他の運動用個室に流入しないように形成した運動施設とする。
【選択図】図１【図１】
0006865983.tif 000002
【図２】
0006865983.tif 000003
【図３】
0006865983.tif 000004
【図４】
0006865983.tif 000005
【図５】
0006865983.tif 000006
【図６】
0006865983.tif 000007
【図７】
0006865983.tif 000008